(57)【要約】      （修正有）【課題】リード線の引き回し容易化とリード線のはみ出しを防止し、且つサービス時での工数削減を可能としたリード線の取り付け装置を提供する。【解決手段】電子制御装置筐体の外周にリード線４の引き回しを施すと共に、電子制御装置筐体２にリード線４を固定するリード線の取付装置であって、リード線４を収納可能な溝部２ａと、リード線外れ防止のための蓋部３ａとを備え、溝部２ａによりリード線４が収納しやすく、蓋部３ａによりリード線４の飛び出しがないものである。【選択図】図６
2006114600.tif 000002
【特許請求の範囲】
【請求項１】
電子制御装置筐体の外周にリード線の引き回しを施すと共に、前記電子制御装置筐体にリード線を固定するリード線の取付装置であって、リード線を収納可能な溝部と、リード線外れ防止のための蓋部とを備えたことを特徴とするリード線の取付装置。
【請求項２】
リード線を収納可能な溝部には弱い力で湾曲するリード線はずれ防止壁を設け、リード線外れ防止のための蓋部には前記リード線はずれ防止壁と対になる部位に係合部を設けたことを特徴とする、請求項１記載のリード線の取付装置。
【請求項３】
リード線外れ防止のための蓋部に設けた係合部に、リード線を取付時に仮置き可能な傾斜部を設けたことを特徴とする、請求項１記載のリード線の取付装置。
【請求項４】
リード線を収納可能な溝部には弱い力で湾曲するリード線はずれ防止壁と、リード線外れ防止のための蓋部には前記リード線はずれ防止壁と対になる部位に係合部とを設け、リード線は前記リード線はずれ防止壁を湾曲させて前記溝部に収納可能とする、請求項１記載のリード線の取付装置。
【請求項５】
リード線外れ防止のための蓋部は電子制御装置筐体を保護するカバーに形成され、リード線を収納可能な溝部からリード線を外す時には、電子制御装置筐体を保護する前記カバーを電子制御装置筐体から取り除く事によりリード線が取り出し可能となることを特徴とする、請求項１記載のリード線の取付装置。
【発明の詳細な説明】
【技術分野】
【０００１】
本発明は、電子機器の内部でリード線を保持するためのリード線の取付装置に関するものである。
【背景技術】
【０００２】
従来、リード線の取付装置として例えば、空気調和機としては、熱交換器・配管の温度センサーリード線、風回路の送風ファンリード線、及び冷媒制御コイルリード線をエッジや噛み込みから保護する為に保持する形状が必要である。これを実現する為に二股の棒状突起部を設け、これに絡めて保持する構成（例えば、特許文献１参照）、また、クランパーに溝と抜け防止を設けて保持する構成（例えば、特許文献２参照）が開示されている。
【０００３】
又、リード線の保持としては図５に示すように、バンドにリード線を挿入して且つ抜け防止を備えたバンド部品が市販されている。
【特許文献１】実用新案登録第３０６５１１５号公報
【特許文献２】特開平９−３２１４５９号公報
【発明の開示】
【発明が解決しようとする課題】
【０００４】
しかしながら、前記従来の構成では、リード線を狭い二股や鍵状の突起に絡める為、作業性の難易度が高く、又鍵状の形状ではリード線の飛び出しの発生懸念が有る。サービス性においても取外しに工数が掛かる問題を抱えている。
【０００５】
本発明は、上記従来の課題を解決し、リード線の引き回し容易化とリード線のはみ出しを防止し、且つサービス時での工数削減を可能にしたリード線の取付装置の提供を目的とする。
【課題を解決するための手段】
【０００６】
前記従来の課題を解決するために、本発明のリード線の取付装置は、電子制御装置筐体の外周にリード線の引き回しを施すと共に、前記電子制御装置筐体にリード線を固定するリード線の取付装置であって、リード線を収納可能な溝部と、リード線外れ防止のための蓋部とを備えたものである。
【０００７】
これによって、リード線外れ防止のための蓋部によってリード線を収納可能な溝部からリード線が飛び出なくなると共に、サービス時には電子制御装置保護カバーを取外すことによりリード線の飛び出し防止のための蓋部が取り除かれ容易にリード線を取外すこてが出来るものである。
【発明の効果】
【０００８】
本発明のリード線の取付装置は、リード線の取り付け・取外しが簡単に出来、生産性・サービス性の向上が実現できる。
【発明を実施するための最良の形態】
【０００９】
第１の発明は、電子制御装置筐体の外周にリード線の引き回しを施すと共に、前記電子制御装置筐体にリード線を固定するリード線の取付装置であって、リード線を収納可能な溝部と、リード線外れ防止のための蓋部とを備えた構成である。
【００１０】
第２の発明は、リード線を収納可能な溝部には弱い力で湾曲するリード線はずれ防止壁
を設け、リード線外れ防止のための蓋部には前記リード線はずれ防止壁と対になる部位に係合部を設けた構成である。
【００１１】
第３の発明は、リード線外れ防止のための蓋部に設けた係合部に、リード線を取付時に仮置き可能な傾斜部を設けた構成である。
【００１２】
第４の発明は、リード線を収納可能な溝部には弱い力で湾曲するリード線はずれ防止壁と、リード線外れ防止のための蓋部には前記リード線はずれ防止壁と対になる部位に係合部とを設け、リード線は前記リード線はずれ防止壁を湾曲させて前記溝部に収納可能とする構成である。
【００１３】
第５の発明は、リード線外れ防止のための蓋部は電子制御装置筐体を保護するカバーに形成され、リード線を収納可能な溝部からリード線を外す時には、電子制御装置筐体を保護する前記カバーを電子制御装置筐体から取り除く事によりリード線が取り出し可能となる構成である。
【００１４】
以下、本発明の実施の形態について、図面を参照にしながら説明する。なお、この実施の形態によって本発明が限定されるものではない。
【００１５】
（実施の形態１）
図１は、本発明の実施の形態１におけるリード線の取付装置を分離型空気調和機の室外ユニットに適用した全体の構成を示す斜視図である。図２は、本発明の実施の形態１におけるリード線の取付装置を分離型空気調和機の室外ユニットに適用した全体の構成を示す要部切り欠き斜視図である。図３は、本発明の実施の形態１におけるリード線の取付装置を分離型空気調和機の室外ユニットに適用した電子制御装置の構成を示す斜視図である。図４は、本発明の実施の形態１におけるリード線の取付装置を分離型空気調和機の室外ユニットに適用した電子制御装置筐体の構成を示す斜視図である。図５は、本発明の実施の形態１におけるリード線の取付装置を分離型空気調和機の室外ユニットに適用した電子制御装置保護カバーの構成を示す斜視図である。図６は、本発明の実施の形態１におけるリード線の取付装置を分離型空気調和機の室外ユニットに適用したリード線挿入過程を示す模式図である。
【００１６】
本発明の実施の形態１におけるリード線の取付装置を分離型空気調和機の室外ユニットに適用した例を図１ないし図６を用いて説明する。
【００１７】
図２において、分離型空気調和機の室外ユニット１は室外ユニット本体と電子制御装置を収納する電子制御装置筐体２と電子制御装置を保護するカバー３から構成され、熱交換器・配管の温度センサーリード線、風回路の送風ファンリード線、及び冷媒制御コイルリード線をエッジや噛み込みから保護する為に保持する形状は図３ないし図５の様に電子制御装置筐体の外郭にリード線４を収納する溝部２ａを設け、この外壁の一部を切り欠いて容易に湾曲するリード線はずれ防止壁２ｂにしている。この溝部２ａからリード線４が飛び出ない様に電子制御装置を保護するカバー３の一部に蓋部３ａを設け、電子制御装置を収納する筐体外壁の一部を切り欠いて湾曲するリード線はずれ防止壁２ｂと合わされる蓋部３ａには係合部３ｂを設けており、さらに、図６に示すように、蓋部３ａにはリード線４挿入時の誘いの傾斜部３ｃを設けている。
【００１８】
サービス時には電子制御装置を保護するカバー３を取外すことによりリード線４の飛び出し防止の蓋部３ａが取り除かれ容易にリード線４を取外すこてが出来る様に構成されている。
【００１９】
なお、本実施の形態において、室外機のリード線収納を施す分離型空気調和機の構成について説明しているが、室内機のリード線収納に使用してもよい。
【産業上の利用可能性】
【００２０】
以上のように、本発明にかかるリード線の取付装置は、リード線を引き回しと取り外しが簡単にすることができるので、全ての電子機器に適用できる。
【図面の簡単な説明】
【００２１】
【図１】本発明の実施の形態１におけるリード線の取付装置を分離型空気調和機の室外ユニットに適用した全体の構成を示す斜視図
【図２】本発明の実施の形態１におけるリード線の取付装置を分離型空気調和機の室外ユニットに適用した全体の構成を示す要部切り欠き斜視図
【図３】本発明の実施の形態１におけるリード線の取付装置を分離型空気調和機の室外ユニットに適用した電子制御装置の構成を示す斜視図
【図４】本発明の実施の形態１におけるリード線の取付装置を分離型空気調和機の室外ユニットに適用した電子制御装置筐体の構成を示す斜視図
【図５】本発明の実施の形態１におけるリード線の取付装置を分離型空気調和機の室外ユニットに適用した電子制御装置保護カバーの構成を示す斜視図
【図６】本発明の実施の形態１におけるリード線の取付装置を分離型空気調和機の室外ユニットに適用したリード線挿入過程を示す模式図
【図７】従来のリード線の取付装置を示す斜視図
【符号の説明】
【００２２】
１  室外ユニット
２  筐体
２ａ  溝部
２ｂ  リード線はずれ防止壁
３  カバー
３ａ  蓋部
３ｂ  係合部
３ｃ  傾斜部
４  リード線
【図１】
2006114600.tif 000003
【図２】
2006114600.tif 000004
【図３】
2006114600.tif 000005
【図４】
2006114600.tif 000006
【図５】
2006114600.tif 000007
【図６】
2006114600.tif 000008
【図７】
2006114600.tif 000009